(57)【特許請求の範囲】
【請求項１】
１対の障害釘の一つの側面部に当てがうための基準バーと、他方の障害釘の側面を挾持するように当てがうための変位バーと、前記基準バーと変位バーとの間隔を伸縮するゲージ間隙駆動手段と、該間隙駆動手段に対して駆動制御信号を発することにより釘間隔の調整操作の実行、釘間隔の測定操作及び調整・測定操作の停止を指示する駆動制御手段と、調整・測定する遊技台番号、障害釘の調整・測定ポイント及び釘間隔が表示されるディスプレイとからなる遊技機用釘間隔調整装置。
【請求項２】
前記間隔調整装置に調整・測定すべき遊技台番号、調整・測定すべき障害釘のポイント及び釘間隔に関するデータが予め記憶された記憶手段を有し、該記憶手段のデータがディスプレイに表示されると共に表示されたデータに基づき駆動制御手段が作動することを特徴とする請求項１記載の遊技機用釘間隔調整装置。
【請求項３】
ホストコンピュータとの通信手段として相互にデータの通信が行えるインターフェースを設けたことを特徴とする請求項１記載の遊技機用釘間隔調整装置。
【請求項４】
前記基準バーがその先端部に障害釘の側面部を当てがうための係止溝を有し、前記変位バーがその先端部に二又に分岐した作用部を有し、前記係止溝及び作用部の内側面が内周に沿って突出部を有することを特徴とする請求項１記載の遊技機用釘間隔調整装置。
【発明の詳細な説明】
【０００１】
【産業上の利用分野】
本発明は、パチンコ機等の遊技機の遊技盤に打ち込まれた障害釘の間隔を調整・測定する遊技機用釘間隔調整装置に関するもので、遊技機の釘間隔を作業員の手を煩わせることなく自動的にホールのホストコンピュータに設定された値となるように調整することが可能となる。
【０００２】
【従来技術】
従来パチンコ遊技機等の遊技盤上に打たれた障害釘の間隔は、遊技機球とほぼ同一形状の球を分割してなる２個の分球部に所定の対向間隙を配して対向させ、当該２個の釘係止突起および当該２個の分球部上の最大厚みの点である最厚点において測定すべき１対の遊技機障害釘の内面側間隔をなす２個の内法点に接触するように構成された釘接触ゲージ手段と、当該釘接触ゲージ手段の２個の分球部が測定すべき１対の遊技機障害釘に自在に追随するように前記対向間隙を伸縮調整するゲージ間隙調整手段と、動作制御信号を発することにより測定動作の実行または測定動作の停止を制御する動作制御手段等からなり、測定した値を作業者にディスプレイ装置で表示する方式の測定装置が発明され、知られている（特開平０６−９８９７５号、特開平０６−７１０３４号、特開平０６−３０４３２３号）。かかる装置では、かなり釘間隔の値を正確に測定することができると共に、測定した間隔を遊技台毎に記憶しておき該測定データをホールコンピュータに読み込ませることができた。
【０００３】
【発明が解決しようとする課題】
しかしながら、かかる従来の方式における釘間隔はベテランの釘師が釘調整した後に前述したような測定装置で測定する方式であるために、釘師による釘間隔調整と作業員による釘間隔測定というような二つの作業を必要とすると共に同時に作業を行うことができないことから時間を要するといった不都合もある。
そこで本発明は、かかる従来技術の不都合に鑑みなされたもので測定を行う測定装置で釘間隔の測定も調整も一台の装置で自動的にかつ同時に行うことのできる装置を提供することを目的とする。さらに調整すべき台及び調整する障害釘の番号並びに調整間隔等を装置に予め入力できるようにしたものでは、装置のディスプレイに表示された台及び障害釘に該装置を調整部を当てがうことにより調整できるようにする。
【０００４】
【課題を解決するための手段】
すなわち本発明は、１対の障害釘の一つの側面部に当てがうための基準バーと、他方の障害釘の側面を挾持するように当てがうための変位バーと、前記基準バーと変位バーとの間隔を伸縮するゲージ間隙駆動手段と、該間隙駆動手段に対して駆動制御信号を発することにより釘間隔の調整操作の実行、釘間隔の測定操作及び調整・測定操作の停止を指示する駆動制御手段と、調整・測定する遊技台番号、障害釘のポイント及び釘間隔が表示されるディスプレイとからなる遊技機用釘間隔調整装置により本目的を達成する。
請求項２の発明は、前記間隔調整装置に調整・測定すべき遊技台番号、調整・測定すべき障害釘のポイント及び釘間隔に関するデータが予め記憶された記憶手段を有し、該記憶手段のデータがディスプレイに表示されると共に表示されたデータに基づき駆動制御手段が作動するように構成された遊技機用釘間隔調整装置であり、請求項３の発明は、ホストコンピュータとの通信手段として相互にデータの通信が行えるインターフェースを設けた遊技機用釘間隔調整装置であり、請求項４の発明は、前記基準バーがその先端部に障害釘の側面部を当てがうための係止溝を有し、前記変位バーがその端部に二又に分岐した作用部を有し、前記係止溝及び作用部の内側面が内周に沿って突出部を有する遊技機用釘間隔調整装置である。
【０００５】
【作用】
本発明にかかる装置では、ディスプレイに表示された遊技台番号、障害釘ポイント上の１対の釘の側面に装置の基準バー及び変位バーを当てがう。次にディスプレイに表示された釘間隔となるように駆動制御手段を操作することによりゲージ間隙駆動手段が作動する。釘間隔を拡大する時は、基準バーを固定したまま変位バーを移動させて所望の釘間隔となるように釘間隔を測定しながら調整を行う。また釘間隔を狭める時は、基準バーを固定したまま変位バーを移動させて一旦設定値の釘間隔より狭めた後に釘間隔を拡大しながら調整と測定を行う。
請求項２の発明では、ディスプレイに表示された遊技台番号、障害釘のポイントに基準バー及び変位バーを当てがうことにより自動的に障害釘の間隔は調整される。
かかる作業を繰り返すことにより作業者は、ホールにおける各遊技台の釘間隔の調整が終了した後に、調整値に基づいて調整された結果（測定値）を装置からホストコンピュータに入力する。これによりホストコンピュータには遊技台の障害釘の間隔に関する新規データが入力されたことになる。
【０００６】
【実施例】
以下に本発明を図示された実施例に従って詳細に説明する。
図１に示すものは本発明にかかる遊技機用釘間隔調整装置１の斜視図を示すものであり、該装置は端部がＬ字状に折り曲げられ、先端部に障害釘２，３の側面を収納・係止し得る溝４が形成された基準バー５と、該基準バー５と平行に配置された二又に分岐された測定・調整部位を有する変位バー６とからなるゲージ及び調整手段と、前記変位バー６を平行移動させることによりバー５，６の間隔を伸縮調整するドライバ２３及びパルスモータ２２からなるゲージ間隙駆動手段７と、該間隙駆動手段７に対して駆動制御信号を発することにより釘間隔の調整操作の実行、釘間隔の測定操作及び調整・測定操作の停止を指示する調整ボタン１３及び測定ボタン１４からなる駆動制御手段と、調整・測定する遊技台番号、障害釘のポイント及び釘間隔が表示されるディスプレイ１０とからなる。変位バー６も端部がＬ字状に折り曲げられており、該分岐された測定・調整部位により一様な幅のスロット６ａが形成されている。前記溝４及びスロット６ａの内周面は、図２ａ，ｂに示すように最厚部が釘調整又は測定の作用点となるように遊技盤に当接させた時の高さ５．５mmの部分を内周に沿って突出させており、その断面形状はほぼＤ字状となるように設計されている。
尚、１２は前記装置の操作者が装置を操作するためのキーボードであり、１３及び１４はそれぞれ駆動制御手段に対して釘間隔の調整及び測定を指示するボタンである。１５は、装置のインターフェースにおけるホストコンピュータとのコネクタである。
【０００７】
次に図３に示すものは、装置内部の部品の構成を示すブロック図であり、調整・測定・表示をコントロールするＣＰＵ１６と、該ＣＰＵ１６の制御プログラム（測定、調整）が組み込まれたＲＯＭ１７と、調整する遊技台、障害釘番号、調整幅に関するデータが組み込まれると共に調整後の遊技台、障害釘番号、調整幅の情報（測定データ）が記憶されるためのＲＡＭ１８と、ホストコンピュータとの通信を行うためのインターフェース１９と、ＣＰＵ１６に対してクロック信号を発信するクロック２０と、前記ディスプレイ１０のドライバ２１と、ＣＰＵ１６への入力用キーボード１２と、ゲージ間隙駆動手段７に組み込まれたモータ２２（パルスモータ）を駆動するドライバ２３と、基準バー５と変位バー６の間隔の定位値センサー２４、変位幅センサー２５及び圧力センサー２６，２７とからなる。
【０００８】
図４に示すものは、装置１のディスプレイ１０及びキーボード１２の拡大正面図であり、１２ａはディスプレイ１０への表示を以下の「日付モード」、「測定モード」、「調整モード」及び「アジャストモード」に切り替えるためのモード切り替えボタンであり、１２ｂは基準バー５，変位バー６の間隔を基準間隔（１１mm）に調整するためのアジャストボタンであり、１２ｄは次の台番号の表示を促すためのネクストキーであり、１２ｃは前の台番号の表示に戻すためのバックキーであり、１２ｅはディスプレイ１０に現在表示されている釘間隔を設定値よりも狭くするための間隔スイッチであり、１２ｆはディスプレイに現在表示されている釘間隔の設定値よりも広くするための間隔スイッチであり、１２ｇ、１２ｈは同一の遊技台の中の複数の釘間隔の測定・調整ポイント（１，２，３…）を現在より１ポイント前のデータを表示させるポイントスイッチ、現在より１ポイント後のデータを表示させるポイントスイッチである。
【０００９】
「日付モード」：日付の表示及び時計の表示合わせを行う。
「測定モード」：遊技台の番号、測定ポイントを表示するもので、測定ボタン１４を押すことにより基準バーと変位バーの間隔を広げていき圧力センサー２６の出力がＯＮした位置で停止し変位幅センサー２５の値を表示する。またこの時のデータをＲＡＭ１８に記憶する。同一の遊技台の別のポイントを測定する時はポイントスイッチ１２ｇ，１２ｈを押すことにより、表示が切り替わるのでそのポイントに装置のバー５，６を設置し、測定ボタン１４を押すことにより測定を行う。
以下順次ポイントを測定してデータを収集して、次の台に移動する時はネクストスイッチをを押すことにより次の台番号が表示される。
「調整モード」：測定モード同様に台番号、測定ポイントを表示するもので、調整ボタン１３を押すと、測定モードと同様に釘間隔を測定する。この値が設定値よりも小さい時は、更に変位幅センサーの値が設定値と一致するまで変位バーを釘間隔を広げる方向に動作させる。
一方設定値よりも広い場合は、釘間隔を設定値よりわずかに狭めた後に広げる事により調整する。そして調整した後の釘間隔の測定値は、台番号及びポイント番号と共にＲＡＭ１８に記憶される。
「アジャストモード」：基準となるブロックを基準バーと変位バーにあてがってアジャストスイッチ１２ｂを押すと、自動的に基準値（１１mm）に対する０調整を行う。
１２ｅ，１２ｆは、手動で釘間隔の設置値を入力するためのスイッチであり、１２ｅは現在表示されている設定値よりも狭くするためのものであり、１２ｆは設定値より広くするためのものである。
【００１０】
以上述べた構成において本発明にかかる装置では、基準バー５及び変位バー６を障害釘の側面に当接するように当てがった後、測定ボタン１４を押すことにより前述した各遊技台、各障害釘のポイントにおける釘間隔の測定結果がＲＡＭ１８にデータとして記憶される。そして全ての遊技台の釘間隔データの計測が完了することにより測定作業は終了する。測定された結果は装置のインターフェース１９からホストコンピュータに対して釘間隔情報として入力される。
一般にホストコンピュータには、各台における出玉率、大当り率、稼働率等のデータが随時入力されており、障害釘の間隔とこれらのデータとの相関関係を取ることにより理想的な釘間隔データ及び釘間隔変更に関する指針がはじき出されることとなる。
【００１１】
そこで、ホールとしては毎日同じ台で当りが続くことは好ましくないので、釘調整をすることにより出る台と出にくい台とを切り替える作業が必要となる。
そして装置により測定された釘間隔と各台毎の出玉率等からホストコンピュータに次の日におけるホールの各台の釘間隔に関するシュミレーションを行わせ、理想的な釘間隔の変更計算を行わせる。そしてその日の変更にかかる台、ポイント及び釘間隔に関するデータをホストコンピュータから調整装置１のインターフェース１９を介してＲＡＭ１８にインプットすることにより釘間隔の調整作業に移行させることができる。尚、ＲＡＭ１８へのデータの入力は、インターフェース１９を介してホストコンピュータから入力するように構成したが、それ以外に前述キーボード１２から手動により入力することもできる。
【００１２】
装置１のＲＡＭ１８には、変更を必要とするパチンコ台番号、障害釘のポイント及び調整すべき釘間隔に関するデータしか格納されていないので、作業者はモードボタンを押すことにより調整モードに切り替えた上に、調整作業にかかることとなる。調整モードでは、ディスプレイ１０上に釘間隔を変更すべき台番号及びポイント番号並びに変更すべき釘間隔（設定値）が表示される。そこで目的の台及びポイントまで作業者が移動して装置１の基準バー５及び変位バー６の溝を釘２，３に当てがい、調整ボタン１３を押す。すると図５ａ及び図６に示すようにまず変位バー６を平行移動させることにより基準バーとの間隔を少しづつ広げてていき、圧力センサー２６が作動する時点において変位センサー２５の測定値から現在の間隔を測定する。測定した結果釘間隔ｄが設定値d0よりも狭い場合には、圧力センサー２６からのＯＦＦ信号を無視して駆動モータ２２に対して変位バーを少しづつ平行移動させながら変位センサー２５の測定値が、設定値d0と等しくなった時点で駆動モータ２２を停止させ釘間隔の調整作業を行う。本実施例では、変位バー６及び基準バー５の遊技盤から５．５mmの位置が最厚部となるように設計されている関係から、調整された釘間隔は丁度盤から５．５mmの高さにおける状態となる。尚、圧力センサー２７は、間隔を拡大する際に各バー５，６にかかる圧力が所定圧以上にならないように監視する為のもので、所定圧以上になった時にドライバ２３に対してＯＦＦ信号を発する。
【００１３】
次に基準バー５及び変位バー６を当てがった釘の釘間隔が設定値d0よりも広い場合は、一旦釘間隔を測定した後に図５ｂに示すように釘間隔を縮径するように、駆動モータ２２に指示して変位バー６を平行移動させて設定値d0よりも狭める。そして図５ｃに示すように再度変位バー６を拡大方向に平行移動させることにより釘間隔が設定値d0となるように動作させる。従って、作業者はディスプレイに表示された台番号の所定のポイントにある釘に各バー５，６を当てがうだけで釘間隔の調整作業を自動的行うことができる。
【００１４】
調整作業終了後はポイントボタン１２ｈを押すことにより、次に変更すべき障害釘のポイントがディスプレイ１０に表示され、前述したような調整作業を行う。全てのポイントの釘間隔の調整終了後は、ネクストボタン１２ｄを押すことにより装置１が調整のために移動すべき遊技台の番号及びポイント並びに釘間隔が表示されるので、作業者はその指示に従い所定の釘に基準バー５及び変位バー６を当てがい調整作業を進めれば良い。尚、本実施例の装置では、測定、調整又はアジャストが終了した時点で、変位バーが標準位置（基準バーとの間隔が所定の値となる位置）まで自動的に戻るように構成されている。
本実施例では調整作業と共に変位させた遊技台番号、釘間隔ポイント及び釘間隔が確認的にＲＡＭ１８に入力されるので、調整作業終了後にＲＡＭ１８に入力された結果をホストコンピュータにインターフェース１９を介して入力すれば、調整作業の取り残し等をチェックすることが可能となる。
【００１５】
尚、本実施例における釘間隔の拡大作業と釘間隔の縮小作業とでは、図５のａ，ｂに示すように基準バー５及び変位バー６の作用点が異なる。すなわち拡大作業の場合は釘間隔の内径を測定するものであり、縮小作業の場合は釘間隔の外径を測定するものとなる。この結果縮小作業の方が拡大作業の場合よりも溝の間隔分だけ狭くなり、釘の径の分だけ広くなるので変位センサー２５の測定値を補正して矯正している。本実施例において測定、調整又はアジャスト終了後に変位バーを標準位置に戻すように構成したがこれに限定されるものではなく、測定終了後にポイントボタン１２ｇ，１２ｈ又はネクストボタン１２ｃ，１２ｄを押した時に、変位バーを標準位置に戻すように構成しても良い。
また本実施例において変位バー６をパルスモータ２２で駆動するように構成したが、これに限定されるものではなくパルスモータの代わりにエンコーダを用いたり、オイル圧駆動方式のものを用いても良い。
【００１６】
【効果】
以上述べたように本発明にかかる装置によれば、従来の装置では測定作業と釘間隔の調整作業とをベテランの釘師と測定者とが交互に行わなければ成らなかったものを一度に測定と調整とを一つの装置でこなすことができると共にホストコンピュータで算出されたデータに基づいた正確な釘間隔の調整を行うことができる。
【図面の簡単な説明】
【図１】  本発明にかかる装置の斜視図である。
【図２】  本発明にかかる装置の基準バーと変位バーを遊技台の盤に設置された釘にあてがった状態を示す説明図であり、ａは平面断面図であり、ｂは正面断面図である。
【図３】  本発明にかかる装置のブロック図である。
【図４】  本発明にかかる装置のディスプレイ及びキーボードの部分の拡大図である。
【図５】  本発明にかかる装置の各モードにおける障害釘への作用点の違いを示す平面断面図である。
【図６】  本発明にかかる装置における作用を表すフローチャートである。
【符号の簡単な説明】
１          装置
２，３      釘
４          溝
５          基準バー
６          変位バー
７          ゲージ駆動手段
１０        ディスプレイ
１２        キーボード
１３        調整ボタン
１４        測定ボタン
１５        コネクタ
１６        ＣＰＵ
１７        ＲＯＭ
１８        ＲＡＭ
１９        インターフェース
２０        クロック
２１        ドライバ
２２        モータ
２３        ドライバ
２４        定位値センサー
２５        変位幅センサー
２６，２７  圧力センサー
【図１】
0003805403.tif 000002
【図２】
0003805403.tif 000003
【図３】
0003805403.tif 000004
【図４】
0003805403.tif 000005
【図５】
0003805403.tif 000006
【図６】
0003805403.tif 000007